(57)【要約】【課題】安全性やメンテナンス性を向上させること。【解決手段】酸素濃縮器１００はカニューラフック１４０と筐体１１０とを有する。カニューラフック１４０は一対の挟持片１４１ａ、１４１ｂを有する。筐体１１０は挟持片１４１ａ、１４１ｂにより挟持される軸体１３２を有し、カニューラフック１４０が軸体１３２に対して回動可能に装着される。カニューラフック１４０は、筐体１１０に対して開いた状態に姿勢が固定されるとき、挟持片１４１ａ、１４１ｂにより軸体１３２を上下から挟持するよう構成される。筐体１１０は、カニューラフック１４０の回動軌道上に形成されたリブ１３４を有する。開いた状態に姿勢が固定されたカニューラフック１４０に過負荷が加えられるとき、リブ１３４と下方の挟持片１４１ａとが係合し、係合部１４８を支点として軸体１３２が挟持片１４１ａ、１４１ｂを押し広げて、カニューラフック１４０を筐体１１０から分離させる。【選択図】図４
2010119767.tif 000002
【特許請求の範囲】
【請求項１】
一対の挟持片を有する開閉体と、前記一対の挟持片により挟持される軸体を有し、前記開閉体が前記軸体に対して回動可能に装着される筐体と、を有する酸素濃縮器であって、
前記開閉体は、前記筐体に対して開いた状態に前記開閉体の姿勢が固定されるとき、前記一対の挟持片により前記軸体を上下から挟持するよう構成され、
前記筐体は、前記開閉体の回動軌道上に形成された凸部を有し、
前記開いた状態に姿勢が固定された前記開閉体に過負荷が加えられるとき、前記凸部と、前記一対の挟持片のうち前記軸体を下から挟持する下方挟持片とが係合し、前記凸部と前記下方挟持片との係合部を支点として前記軸体が前記一対の挟持部を押し広げて、前記開閉体を前記筐体から分離させる、酸素濃縮器。
【請求項２】
前記開閉体は、前記筐体に対して所定の傾倒方向に傾倒することにより前記開いた状態を形成し、
前記一対の挟持片は、基端部にて分岐して先端部まで伸延し、前記開いた状態に前記開閉体の姿勢が固定されるとき、前記基端部が前記軸体に対して前記所定の傾倒方向の側に位置し且つ前記先端部が前記軸体に対して前記所定の傾倒方向の反対側に位置するよう構成され、
前記開いた状態に姿勢が固定された前記開閉体に過負荷が加えられるとき、前記軸体は前記一対の挟持片を押して前記先端部の間隔を広げて前記一対の挟持片から抜出される、請求項１記載の酸素濃縮器。
【発明の詳細な説明】
【技術分野】
【０００１】
本発明は、空気を導入して高濃度の酸素を放出する酸素濃縮器に関する。
【背景技術】
【０００２】
酸素濃縮器は主として、呼吸器疾患の患者が在宅で酸素を吸入する在宅酸素療法（ＨＯＴ：home oxygen therapy）において使用される。
【０００３】
酸素濃縮器は、加圧空気に対して窒素を吸着し減圧空気に対して窒素を脱着する性質を持つ吸着剤（例えば、ゼオライト）が充填された、シーブベッド（吸着塔）を備えている。酸素濃縮器は、フィルタおよび吸気タンクを通して取り込んだ室内の空気をコンプレッサにより圧縮し、この圧縮空気を加減圧の切替えを繰り返しながらシーブベッドに通過させることにより、圧縮空気から高濃度の酸素を分離する。高濃度酸素は、使用時に患者が装着する鼻腔カニューラを介して患者体内に供給される。
【０００４】
例えば特許文献１に記載された従来の酸素濃縮器においては、筐体にカニューラフックが設けられ、患者が不使用時に鼻腔カニューラを取り外してカニューラフックに掛けて置くことができるようにされている。このカニューラフックは、開閉自在に設けられたヒンジ式のカニューラフックであり、鼻腔カニューラの不使用時には開いて鼻腔カニューラを掛けて置くことができ、鼻腔カニューラの使用時には閉じて筐体側面部に収納することができる。このように、酸素濃縮器の筐体にはカニューラフック等の開閉体が装着されている場合がある。
【特許文献１】特開２００４−１８８１２１号公報
【発明の開示】
【発明が解決しようとする課題】
【０００５】
しかしながら、上記従来の酸素濃縮器のように筐体に開閉体が装着されている場合にあっては、開閉体が開いているときに患者等が誤って手足を開閉体にぶつけるおそれがある。このとき、開閉体が頑強であれば、患者等が怪我を負う可能性があり、安全性の点で問題がある。反対に、開閉体に十分な強度がなければ、開閉体自体が破損する可能性があり、新たな開閉体の取り付けあるいは酸素濃縮器の交換等、メンテナンスに手間や費用がかかる。
【０００６】
本発明は、かかる点に鑑みてなされたものであり、安全性やメンテナンス性を向上させることができる酸素濃縮器を提供することを目的とする。
【課題を解決するための手段】
【０００７】
本発明の酸素濃縮器は、一対の挟持片を有する開閉体と、前記一対の挟持片により挟持される軸体を有し、前記開閉体が前記軸体に対して回動可能に装着される筐体と、を有する酸素濃縮器であって、前記開閉体は、前記筐体に対して開いた状態に前記開閉体の姿勢が固定されるとき、前記一対の挟持片により前記軸体を上下から挟持するよう構成され、前記筐体は、前記開閉体の回動軌道上に形成された凸部を有し、前記開いた状態に姿勢が固定された前記開閉体に過負荷が加えられるとき、前記凸部と、前記一対の挟持片のうち前記軸体を下から挟持する下方挟持片とが係合し、前記凸部と前記下方挟持片との係合部を支点として前記軸体が前記一対の挟持片を押し広げて、前記開閉体を前記筐体から分離させる、構成を採る。
【発明の効果】
【０００８】
本発明によれば、酸素濃縮器の安全性やメンテナンス性を向上させることができる。
【発明を実施するための最良の形態】
【０００９】
以下、本発明の実施の形態について、図面を参照して詳細に説明する。
【００１０】
（実施の形態１）
図１は、本発明の実施の形態１に係る酸素濃縮器の外観を示す斜視図である。
【００１１】
酸素濃縮器１００は、主として在宅酸素療法において使用されるタイプのものであり、高濃度酸素の生成に必要な構成であるフィルタ、吸気タンク、コンプレッサ、シーブベッド、圧力センサ等（いずれも図示せず）を含む内部構成は筐体１１０内に収容されている。酸素濃縮器１００の内部構成は、従来の酸素濃縮器と同様のものでもよいので、ここではそれらについての詳細な説明を省略する。
【００１２】
筐体１１０は、例えば樹脂製であり、軽量化が図られている。なお、筐体１１０を木製とすることにより、筐体１１０自体に遮音性を持たせることもできる。また、酸素濃縮器１００の主たる設置場所が患者の自宅内であることから、省スペース化を図るために、筐体１１０は薄型に形成されている。
【００１３】
操作部１２０は、操作容易性のために筐体１１０の上面部に設けられている。操作部１２０には、酸素濃縮器１００の電源部１２１と、高濃度酸素の流量を調節するための調節部１２２と、高濃度酸素の流量等を表示するための表示部１２３と、酸素濃縮器１００の動作異常等を外部（例えばメンテナンスサービス）に伝えるための発信部１２４と、鼻腔カニューラが設けられたチューブ（図示せず）を接続するための接続部１２５とが、設けられている。
【００１４】
筐体１１０の側面上方部および前面部にはそれぞれ凹部が設けられている。側面上方部の凹部は、フック収容部１３０として設けられている。フック収容部１３０は、鼻腔カニューラを不使用時に掛けて置くためのフック体であり且つ開閉自在な開閉体であるカニューラフック１４０を収容する。前面部の凹部は、予備の鼻腔カニューラや取扱説明書等を収納するための収納部１５０として設けられている。収納部１５０には、カニューラフック１４０と同様に開閉体である開閉扉１６０が脱着可能に装着されている。
【００１５】
フック収容部１３０は、左右の側面上方部に設けられているため、図２に示すように、酸素濃縮器１００の正面から見て右側に設けられたフック収容部１３０にも、酸素濃縮器１００の正面から見て左側に設けられたフック収容部（図示せず）にも、カニューラフック１４０を収容することができる。フック収容部１３０はフック装着部１３１を内部に有する。フック装着部１３１には、カニューラフック１４０が脱着可能に装着されている。
【００１６】
カニューラフック１４０は、主としてヒンジ部１４１とＬ形フック部１４２とを有する樹脂製のヒンジ式フックであり、回動により筐体１１０に対して開閉することができる。カニューラフック１４０は、起立した状態のときは筐体１１０に対して閉じた状態を形成する。このとき、フック収容部１３０に完全に収容されるため、患者等が誤って手足をぶつけることにより患者等が怪我を負ったりカニューラフック１４０が破損したりするリスクが軽減される。また、カニューラフック１４０は、傾倒した状態のときは筐体１１０に対して開いた状態を形成する。このとき、Ｌ形フック部１４２がフック収容部１３０から突出するため、そこにカニューラフック１４０を掛けて置くことができる。
【００１７】
開閉扉１６０は、樹脂製のヒンジ式扉であり、回動により筐体１１０に対して開閉することができる。開閉扉１６０は、起立した状態のときは筐体１１０に対して閉じた状態を形成する。また、開閉扉１６０は、傾倒した状態のときは筐体１１０に対して開いた状態を形成する。このとき、収納部１５０内の収納物（例えば、予備の鼻腔カニューラ、取扱説明書等）を出し入れすることができる。
【００１８】
図３は、酸素濃縮器１００の筐体１１０の部分拡大断面図であり、フック収容部１３０にカニューラフック１４０が装着された状態を示すものである。図３（ａ）は、カニューラフック１４０が筐体１１０の壁面に対して開いた状態を示し、図３（ｂ）は、カニューラフック１４０が筐体１１０の壁面に対して閉じた状態を示す。
【００１９】
フック収容部１３０のフック装着部１３１には軸体１３２が設けられている。軸体１３２は角柱形状をなし、酸素濃縮器１００の前後方向に水平に伸延する。また、軸体１３２の外周部は正方形をなす。軸体１３２は、対角位置にある一対の直角部が上下を向き、対角位置にある別の対の直角部が左右を向くように、配置される。
【００２０】
また、フック収容部１３０には、凸部としてのリブ１３４が内壁部１３３から突出してカニューラフック１４０の回動軌道に侵入するように設けられている。
【００２１】
カニューラフック１４０は主としてヒンジ部１４１とＬ形フック部１４２とを有する。ヒンジ部１４１は、軸体１３２を挟持する一対の挟持片１４１ａ、１４１ｂからなる。挟持片１４１ａ、１４１ｂは、軸体１３２に外嵌される枠体を構成する。
【００２２】
一対の挟持片１４１ａ、１４１ｂは、図３（ａ）に示すようにカニューラフック１４０が開いた状態にあるときには、上下から軸体１３２を挟持する。カニューラフック１４０が開いた状態にあるときに上下から軸体１３２を挟持することにより、一対の挟持片１４１ａ、１４１ｂは、一定レベルまでの強度の負荷に耐えて確実にカニューラフック１４０の脱落を防止することができる。なお、以下の説明では、一対の挟持片１４１ａ、１４１ｂのうち、カニューラフック１４０が開いた状態にあるときに軸体１３２の下方に位置するものに言及するときは「下方挟持片１４１ａ」といい、カニューラフック１４０が開いた状態にあるときに軸体１３２の上方に位置するものに言及するときは「上方挟持片１４１ｂ」という。
【００２３】
下方挟持片１４１ａは、Ｌ形フック部１４２から直線状に伸延する概形をなし、さらにその先には尾部１４３が直線状に伸延している。開いた状態のカニューラフック１４０に過負荷が加えられると、尾部１４３の先端部がリブ１３４の下部に突き当たって、カニューラフック１４０の過剰な回動挙動が阻止される。
【００２４】
上方挟持片１４１ｂは、ヒンジ部１４１にＬ字状の切欠き１４４を設けることによって、基端部１４５にて下方挟持片１４１ａから分岐して下方挟持片１４１ａと対向するように形成される。挟持片１４１ａ、１４１ｂは、それぞれの中間部１４６にて軸体１３２を上下から挟持する。
【００２５】
また、各挟持片１４１ａ、１４１ｂの中間部１４６は、軸体１３２の直角部を覆って軸体１３２の直角部と密に係合し得るよう直角状に切り込まれて凹面部を構成している。これにより、図３（ａ）に示される開いた状態のカニューラフック１４０の姿勢と、図３（ｂ）に示される閉じた状態のカニューラフック１４０の姿勢とを確実に固定し、カニューラフック１４０のがたつきを防止することができる。
【００２６】
中間部１４６が軸体１３２の上下の直角部と係合するときに、カニューラフック１４０の開いた状態の姿勢が固定され、中間部１４６が軸体１３２の左右の直角部と係合するときに、カニューラフック１４０の閉じた状態の姿勢が固定される。ここで、軸体１３２は、一方の対の直角部が上下に、他方の対の直角部が左右に、それぞれ配置されるように設けられている。このため、中間部１４６が左右の直角部を解放して上下の直角部のみと係合するだけでも、カニューラフック１４０の姿勢を開いた状態に容易に固定することができる。同様に、中間部１４６が上下の直角部を解放して左右の直角部のみと係合するだけでも、カニューラフック１４０の姿勢を開いた状態に容易に固定することができる。
【００２７】
また、各挟持片１４１ａ、１４１ｂの先端部１４７は、中間部１４６よりも拡幅するように形成されている。これにより、カニューラフック１４０に過負荷が加えられたときに、ヒンジ部１４１の弾性変形によりカニューラフック１４０が軸体１３２から脱落するのを容易にすることができる。
【００２８】
以上、酸素濃縮器１００の構成について説明した。
【００２９】
なお、軸体１３２の外周部の形状は、正方形でなくてもよく、種々変更して実施することができる。軸体１３２の外周部の形状は、カニューラフック１４０が開いた状態にあるときに望ましい角度でその姿勢が固定されるように、任意に決定することができる。したがって、挟持片１４１ａ、１４１ｂの中間部１６６の形状も、直角状でなくてもよく、軸体１３２の外周部の形状に応じて種々変更して実施することができる。また、開いた状態あるいは閉じた状態にカニューラフック１４０の姿勢を固定可能な支持手段（図示せず）が設けられる場合には、軸体１３２の形状は角柱形状でなくてもよく、例えば円柱形状等のように種々変更して実施することができる。
【００３０】
次いで、カニューラフック１４０の開閉動作について、図３を参照しながら説明する。
【００３１】
カニューラフック１４０が図３（ａ）に示すように傾倒して開いた状態にあるときに、矢印Ｐ１で示される方向にＬ形フック部１４２に対して力を加えると、カニューラフック１４０は、軸体１３２を回動軸として、矢印Ｒ１で示される閉じる方向に回動する。
【００３２】
カニューラフック１４０が回動を開始すると、中間部１４６と軸体１３２の上下の直角部との密嵌状態が解かれ、中間部１４６と軸体１３２の上下の直角部との位置に僅かなずれが生じる。これにより、中間部１４６が軸体１３２の上下の直角部により押圧され、挟持片１４１ａ、１４１ｂが弾性変形して広げられ、カニューラフック１４０の姿勢変更が可能な状態となる。しかし、カニューラフック１４０が回動してから一定の角度（例えば４５度）に達するまでは、弾性変形に起因する挟持片１４１ａ、１４１ｂの復元力が、矢印Ｒ１の回動方向と反対の方向に作用して、カニューラフック１４０が矢印Ｒ１の回動方向と反対の方向に付勢される。つまり、カニューラフック１４０は元の開いた状態の姿勢に戻ろうとする。
【００３３】
カニューラフック１４０を開いた状態に戻そうとする挟持片１４１ａ、１４１ｂの復元力に抗して矢印Ｐ１の押圧方向に力を加え続け、カニューラフック１４０の回動幅が一定程度（例えば４５度）に達すると、中間部１４６が軸体１３２の左右の直角部を跨ぐ。これにより、挟持片１４１ａ、１４１ｂの復元力の一部が矢印Ｒ１の回動方向と同じ方向にも作用するようになる。さらに矢印Ｐ１の押圧方向に力を加え続けると、矢印Ｒ１の回動方向と同じ方向に作用する復元力成分が矢印Ｒ１の回動方向と反対の方向に作用する復元力成分を上回り、カニューラフック１４０が矢印Ｒ１の回動方向に付勢される。これにより、カニューラフック１４０の回動挙動が加速して、一挙にカニューラフック１４０が起立する。
【００３４】
カニューラフック１４０が起立すると、中間部１４６は図３（ｂ）に示すように軸体１３２の左右の直角部を覆って軸体１３２の左右の直角部と密嵌状態を形成する。これにより、カニューラフック１４０の位置が決まり、カニューラフック１４０の姿勢は、筐体１１０の壁面に対して閉じた状態に固定される。
【００３５】
また、カニューラフック１４０が図３（ｂ）に示すように起立して閉じた状態にあるときに、矢印Ｐ２で示される方向に尾部１４３に対して力を加えると、カニューラフック１４０は、軸体１３２を回動軸として、矢印Ｒ２で示される開く方向に回動する。
【００３６】
カニューラフック１４０が回動を開始すると、中間部１４６と軸体１３２の左右の直角部との密嵌状態が解かれ、中間部１４６と軸体１３２の左右の直角部との位置に僅かなずれが生じる。これにより、中間部１４６が軸体１３２の左右の直角部により押圧され、挟持片１４１ａ、１４１ｂが弾性変形して広げられ、カニューラフック１４０の姿勢変更が可能な状態となる。しかし、カニューラフック１４０が回動してから一定の角度（例えば４５度）に達するまでは、弾性変形に起因する挟持片１４１ａ、１４１ｂの復元力が、矢印Ｒ２の回動方向と反対の方向に作用して、カニューラフック１４０が矢印Ｒ２の回動方向と反対の方向に付勢される。つまり、カニューラフック１４０は元の閉じた状態に戻ろうとする。
【００３７】
カニューラフック１４０を閉じた状態に戻そうとする挟持片１４１ａ、１４１ｂの復元力に抗して矢印Ｐ２の押圧方向に力を加え続け、カニューラフック１４０の回動幅が一定程度（例えば４５度）に達すると、中間部１４６が軸体１３２の上下の直角部を跨ぐ。これにより、挟持片１４１ａ、１４１ｂの復元力の一部が矢印Ｒ２の回動方向と同じ方向にも作用するようになる。さらに矢印Ｐ２の押圧方向に力を加え続けると、矢印Ｒ２の回動方向と同じ方向に作用する復元力成分が矢印Ｒ２の回動方向と反対の方向に作用する復元力成分を上回り、矢印Ｒ２の回動方向に回動するカニューラフック１４０が付勢される。これにより、カニューラフック１４０の回動挙動が加速して、一挙にカニューラフック１４０が傾倒する。
【００３８】
カニューラフック１４０が傾倒すると、中間部１４６は図３（ａ）に示すように軸体１３２の上下の直角部を覆って軸体１３２の上下の直角部と密嵌状態を形成する。これにより、カニューラフック１４０の位置が決まり、カニューラフック１４０の姿勢は、筐体１１０の壁面に対して開いた状態に固定される。
【００３９】
このように、カニューラフック１４０は、回動中、挟持片１４１ａ、１４１ｂの復元力により回動方向と同じ方向および反対方向のいずれか一方に付勢されるため、カニューラフック１４０の姿勢が中途半端な状態で固定されるのを抑制することができる。また、カニューラフック１４０の回動挙動が加速され、一挙にカニューラフック１４０の姿勢が変わると同時に固定されるので、カニューラフック１４０の開閉操作においてスイッチのようなクリック感を得ることができる。
【００４０】
次いで、カニューラフック１４０の脱落動作について説明する。
【００４１】
例えば図４に示すように、カニューラフック１４０が傾倒して開いた状態にあるときに、矢印Ｏ１で示される方向にＬ形フック部１４２に対して過剰な負荷が加えられると、カニューラフック１４０の回動挙動は、リブ１３４と尾部１４３とが係合することにより阻止される。
【００４２】
そして、リブ１３４と尾部１４３との係合によって形成される係合部１４８が支点として機能し、軸体１３２が上方挟持片１４１ｂの中間部１４６を押圧し、上方挟持片１４１ｂを弾性変形させる。これにより挟持片１４１ａ、１４１ｂの中間部１４６の間隔と先端部１４７の間隔とが広げられ、挟持片１４１ａ、１４１ｂの中間部１４６と軸体１３２の上下の直角部との密嵌状態が解かれる。
【００４３】
その結果、軸体１３２が挟持片１４１ａ、１４１ｂから抜出され、カニューラフック１４０が筐体１１０から分離して脱落する。
【００４４】
このように、本実施の形態によれば、開いた状態に姿勢が固定されたカニューラフック１４０に過負荷が加えられるとき、リブ１３４と下方挟持片１４１ａとが係合し、係合部１４８を支点として軸体１３２が挟持片１４１ａ、１４１ｂを押し広げて、カニューラフック１４０を筐体１１０から分離させる。このため、カニューラフック１４０が開いているときに患者等が誤って手足をぶつけたときに、カニューラフック１４０が筐体１１０から脱落して、患者等に怪我を負わせたりカニューラフック１４０を破損させたりすることがない。
【００４５】
また、開いた状態に姿勢が固定されているとき、挟持片１４１ａ、１４１ｂが分岐する基端部１４５が、軸体１３２に対してカニューラフック１４０の傾倒方向の側に位置し、拡幅可能な先端部１４７が、軸体１３２に対してカニューラフック１４０の傾倒方向の反対側に位置する。このような挟持片１４１ａ、１４１ｂの構成により、過負荷が加えられたときに、挟持片１４１ａ、１４１ｂを僅かに拡幅させるだけで、容易に軸体１３２を挟持片１４１ａ、１４１ｂから抜出することができる。
【００４６】
また、挟持片１４１ａ、１４１ｂの上記構成により、図５に示すように矢印Ｏ２で示される方向にＬ形フック部１４２に対して過剰な負荷が加えられたときにも、カニューラフック１４０を筐体１１０から容易に分離させ脱落させることができる。この場合には、軸体１３２が挟持片１４１ａ、１４１ｂの双方の中間部１４６を押圧し、挟持片１４１ａ、１４１ｂを弾性変形させる。これにより挟持片１４１ａ、１４１ｂの中間部１４６の間隔と先端部１４７の間隔とが広げられ、挟持片１４１ａ、１４１ｂの中間部１４６と軸体１３２の上下の直角部との密嵌状態が解かれる。その結果、軸体１３２が挟持片１４１ａ、１４１ｂから抜出され、カニューラフック１４０が筐体１１０から分離して脱落する。
【００４７】
なお、開いた状態に姿勢が固定されているとき、挟持片１４１ａ、１４１ｂが分岐する基端部１４５が、軸体１３２に対してカニューラフック１４０の傾倒方向の反対側に位置し、拡幅可能な先端部１４７が、軸体１３２に対してカニューラフック１４０の傾倒方向の側に位置するように、挟持片１４１ａ、１４１ｂが構成された場合でも、軸体１３２を挟持片１４１ａ、１４１ｂから抜出することは可能である。しかしこの場合には、挟持片１４１ａ、１４１ｂを大きく拡幅させる必要があり、そのため、大きく弾性変形し得る材料でカニューラフック１４０を作製する必要がある。
【００４８】
（実施の形態２）
以下、本発明の実施の形態２について説明する。なお、上述の実施の形態１と同一の構成要素には同一の参照符号を付し、その詳細な説明を省略する。
【００４９】
図６は、酸素濃縮器１００の筐体１１０の部分拡大断面図であり、収納部１５０に開閉扉１６０が装着された状態を示すものである。図６（ａ）は、開閉扉１６０が筐体１１０の壁面に対して開いた状態を示し、図６（ｂ）は、開閉扉１６０が筐体１１０の壁面に対して閉じた状態を示す。また、図７は、図６のヒンジ部付近を示す部分拡大断面図である。図７（ａ）は図６（ａ）に対応し、開閉扉１６０が開いた状態を示し、図７（ｂ）は図６（ｂ）に対応し、開閉扉１６０が閉じた状態を示す。
【００５０】
収納部１５０の下端部には軸体１５１が設けられている。軸体１５１は円柱形状をなし、酸素濃縮器１００の左右方向に水平に伸延している。
【００５１】
開閉扉１６０は主として、扉板１６２と、扉板１６２の下端部に設けられたヒンジ部１６１とを有する。ヒンジ部１６１は、軸体１５１を挟持する一対の挟持片１６１ａ、１６１ｂからなる。挟持片１６１ａ、１６１ｂは、軸体１５１に外嵌される枠体を構成する。
【００５２】
また、収納部１５０の下端部には、軸体１５１のさらに下方に凸部としてのストッパ１５２が筐体１１０の壁面から突出して開閉扉１６０の回動軌道に侵入するように設けられている。
【００５３】
一対の挟持片１６１ａ、１６１ｂは、上下から軸体１５１を挟持する。これにより、一対の挟持片１６１ａ、１６１ｂは、一定レベルまでの強度の負荷に耐えて確実に開閉扉１６０の脱落を防止することができる。なお、以下の説明では、一対の挟持片１６１ａ、１６１ｂのうち、軸体１５１の下方に位置するものに言及するときは「下方挟持片１６１ａ」といい、軸体１５１の上方に位置するものに言及するときは「上方挟持片１６１ｂ」という。
【００５４】
下方挟持片１６１ａは、扉板１６２から下方に伸延してＬ字状に折れ曲がる概形をなし、その下端部には段差部１６３が形成されている。開閉扉１６０が傾倒して開いたときに、段差部１６３が収納部１５０のストッパ１５２に突き当たって、開閉扉１６０の回動挙動が阻止される。これにより、筐体１１０の壁面に対して開いた状態に開閉扉１６０の姿勢が固定される。
【００５５】
上方挟持片１６１ｂは、ヒンジ部１６１にＬ字状の切欠き１６４を設けることによって、基端部１６５にて下方挟持片１６１ａから分岐して下方挟持片１６１ａと対向するように形成される。挟持片１６１ａ、１６１ｂは、それぞれの中間部１６６にて軸体１５１を上下から挟持する。
【００５６】
また、各挟持片１６１ａ、１６１ｂの中間部１６６は、軸体１５１の円周状外周部と密に係合し得るよう湾曲状に切り込まれて凹面部を構成している。これにより、開閉扉１６０の滑らかな姿勢変更が可能となる。
【００５７】
また、各挟持片１６１ａ、１６１ｂの先端部１６７は、中間部１６６よりも拡幅するように形成されている。これにより、開閉扉１６０に過負荷が加えられたときに、ヒンジ部１６１の弾性変形により開閉扉１６０が軸体１５１から脱落するのを容易にすることができる。
【００５８】
開閉扉１６０が図６（ａ）および図７（ａ）に示すように傾倒して開いた状態にあるときに、矢印Ｐ３で示される方向に扉板１６２に対して力を加えると、開閉扉１６０は、軸体１５１を回動軸として、矢印Ｒ３で示される閉じる方向に回動して起立する。これにより、開閉扉１６０が筐体１１０の壁面に対して閉じた状態が形成される。なお、この状態に開閉扉１６０の姿勢を固定するために補助的な支持手段（図示せず）を設けてもよい。
【００５９】
開閉扉１６０が図６（ａ）および図７（ｂ）に示すように起立して閉じた状態にあるときに、矢印Ｐ４で示される方向に扉板１６２に対して力を加えると、開閉扉１６０は、軸体１５１を回動軸として、矢印Ｒ４で示される開く方向に回動して傾倒する。開閉扉１６０の回動幅が一定程度に達すると、下方挟持片１６１ａの段差部１６３と収納部１５０のストッパ１５２とが係合して、それ以上の回動挙動が阻止される。これにより、開閉扉１６０が筐体１１０の壁面に対して開いた状態が形成される。なお、この状態に開閉扉１６０の姿勢を固定するために補助的な支持手段（図示せず）を設けてもよい。
【００６０】
以上、酸素濃縮器１００の構成について説明した。
【００６１】
次いで、開閉扉１６０の脱落動作について図８（ａ）および図８（ｂ）を用いて説明する。
【００６２】
開閉扉１６０が傾倒して開いた状態にあるときに、矢印Ｏ３で示される方向に扉板１６２に対して過剰な負荷が加えられると、開閉扉１６０の回動挙動は、ストッパ１５２と段差部１６３とが係合することにより阻止される。
【００６３】
そして、ストッパ１５２と段差部１６３との係合によって形成される係合部１６８が支点として機能し、軸体１５１が挟持片１６１ａ、１６１ｂの双方の中間部１６６を押圧し、挟持片１６１ａ、１６１ｂを弾性変形させる。これにより挟持片１６１ａ、１６１ｂの中間部１６６の間隔と先端部１６７の間隔とが広げられ、挟持片１６１ａ、１６１ｂの中間部１６６と軸体１５１の外周部との密嵌状態が解かれる。
【００６４】
その結果、軸体１５１が挟持片１６１ａ、１６１ｂから抜出され、開閉扉１６０が筐体１１０から分離して脱落する。
【００６５】
このように、本実施の形態によれば、開いた状態に姿勢が固定された開閉扉１６０に過負荷が加えられるとき、ストッパ１５２と下方挟持片１６１ａとが係合し、係合部１６８を支点として軸体１５１が挟持片１６１ａ、１６１ｂを押し広げて、開閉扉１６０を筐体１１０から分離させる。このため、開閉扉１６０が開いているときに患者等が誤って手足をぶつけたときに、開閉扉１６０が筐体１１０から脱落して、患者等に怪我を負わせたり開閉扉１６０を破損させたりすることがない。
【００６６】
また、挟持片１６１ａ、１６１ｂが分岐する基端部１６５が、軸体１５１に対して開閉扉１６０の傾倒方向の側に位置し、拡幅可能な先端部１６７が、軸体１５１に対して開閉扉１６０の傾倒方向の反対側に位置する。このような挟持片１６１ａ、１６１ｂの構成により、過負荷が加えられたときに、挟持片１６１ａ、１６１ｂを僅かに拡幅させるだけで、容易に軸体１５１を挟持片１６１ａ、１６１ｂから抜出することができる。
【００６７】
なお、挟持片１６１ａ、１６１ｂが分岐する基端部１６５が、軸体１５１に対して開閉扉１６０の傾倒方向の反対側に位置し、拡幅可能な先端部１６７が、軸体１５１に対して開閉扉１６０の傾倒方向の側に位置するように、挟持片１６１ａ、１６１ｂが構成された場合でも、軸体１５１を挟持片１６１ａ、１６１ｂから抜出することは可能である。しかしこの場合には、挟持片１６１ａ、１６１ｂを大きく拡幅させる必要があり、そのため、大きく弾性変形し得る材料で開閉扉１６０を作製する必要がある。
【００６８】
また、本実施の形態の構成は、実施の形態１の構成と組み合わせて実施することができる。
【００６９】
以上、本発明の実施の形態について説明した。なお、以上の説明は本発明の好適な実施の形態の例証であり、本発明の範囲はこれに限定されない。つまり、上記各装置の構成および各装置の使用時の動作についての説明は一例であり、本発明の範囲においてこれらの例に対する様々な変更や追加が可能であることは明らかである。
【図面の簡単な説明】
【００７０】
【図１】本発明の実施の形態１に係る酸素濃縮器の外観を示す斜視図
【図２】本発明の実施の形態１に係る酸素濃縮器において筐体からカニューラフックを分離した状態を示す斜視図
【図３】（ａ）本発明の実施の形態１に係るカニューラフックが開いた状態を示す図、（ｂ）本発明の実施の形態１に係るカニューラフックが閉じた状態を示す図
【図４】本発明の実施の形態１に係るカニューラフックの脱落動作の一例を示す図
【図５】本発明の実施の形態１に係るカニューラフックの脱落動作の他の例を示す図
【図６】（ａ）本発明の実施の形態２に係る開閉扉が開いた状態を示す図、（ｂ）本発明の実施の形態２に係る開閉扉が閉じた状態を示す図
【図７】（ａ）図６（ａ）に示す開閉扉のヒンジ部付近を拡大した図、（ｂ）図６（ｂ）に示す開閉扉のヒンジ部付近を拡大した図
【図８】（ａ）本発明の実施の形態２に係る開閉扉の脱落動作を示す図、（ｂ）（ａ）に示す開閉扉のヒンジ部付近を拡大した図
【符号の説明】
【００７１】
１００  酸素濃縮器
１１０  筐体
１２０  操作部
１２１  電源部
１２２  調節部
１２３  表示部
１２４  発信部
１２５  接続部
１３０  フック収容部
１３１  フック装着部
１３２、１５１  軸体
１３３  内壁部
１３４  リブ
１４０  カニューラフック
１４１、１６１  ヒンジ部
１４１ａ、１６１ａ  下方挟持片
１４１ｂ、１６１ｂ  上方挟持片
１４２  Ｌ形フック部
１４３  尾部
１４４、１６４  切欠き
１４５、１６５  基端部
１４６、１６６  中間部
１４７、１６７  先端部
１４８、１６８  係合部
１５０  収納部
１６０  開閉扉
１６２  扉板
【図１】
2010119767.tif 000003
【図２】
2010119767.tif 000004
【図３】
2010119767.tif 000005
【図４】
2010119767.tif 000006
【図５】
2010119767.tif 000007
【図６】
2010119767.tif 000008
【図７】
2010119767.tif 000009
【図８】
2010119767.tif 000010